(57)【要約】【課題】画像の視認性を画像に応じて最適化する。【解決手段】ビーム電流検出部５は、ＣＲＴ１の内部を流れるビーム電流Ｊを通じて、画面１０に映出される画像の輝度を検出する。駆動制御部４０は、検出された輝度にもとづいて、スイッチ４２，４３を選択的に開閉する。インダクタ３の二次コイル３２を流れる電流Ｉに対する制限特性が段階的に変えられることによって、一次コイル３１の誘導が制御される。その結果、画像信号Pinを増幅する増幅部２のゲインの周波数特性が制御される。例えば、ノーマル表示の二値画像に対しては、ゲインの高周波成分を強め、リバース表示の二値画像に対しては、逆に、弱めるように、周波数特性が制御される。【選択図】図１
2006174509.tif 000002
【特許請求の範囲】
【請求項１】
画像信号が表現する画像を映出する陰極線管と、
可変インダクタを有し、当該可変インダクタの誘導にもとづく周波数特性をもつゲインをもって、前記画像信号を増幅して前記陰極線管へ供給する増幅部と、
前記陰極線管のビーム電流を検出するビーム電流検出部と、
前記ビーム電流の大きさに基づいて前記誘導を制御することによって、前記周波数特性を制御する制御部と、を備える画像表示装置。
【請求項２】
請求項１に記載の画像表示装置において、
前記増幅部は前記画像信号を増幅する増幅器
をさらに有し、
前記可変インダクタが、前記増幅器と前記陰極線管との間の経路に介挿されている画像表示装置。
【請求項３】
請求項１または請求項２に記載の画像表示装置において、
前記可変インダクタが、互いに誘導結合した一次コイルと二次コイルとを含んでおり、
前記一次コイルは前記増幅器へ接続されており、
前記二次コイルは前記制御部へ接続されており、
前記誘導は前記一次コイルの誘導であり、
前記制御部は、前記二次コイルにおいて、前記一次コイルに流れる電流によって励起される電流を制御することによって、前記一次コイルの誘導を制御する画像表示装置。
【請求項４】
請求項１ないし請求項３のいずれかに記載の画像表示装置において、
前記画像信号の解像度を、前記画像の同期信号にもとづいて検出する解像度検出部
をさらに備え、
前記制御部は、前記周波数特性を、前記画像信号の解像度に依存して変化させる画像表示装置。
【請求項５】
請求項１ないし請求項４のいずれかに記載の画像表示装置において、
前記増幅部から出力される前記画像信号のパルス波形を検出する過渡特性検出部
をさらに備え、
前記制御部は、前記周波数特性を制御して、前記過渡特性検出部で検出された前記パルス波形を目標に近づける画像表示装置。
【請求項６】
請求項１ないし請求項５のいずれかに記載の画像表示装置において、
前記制御部は、前記ビーム電流検出部で検出された前記ビーム電流にもとづいて、映出される前記画像が、ノーマル表示の二値画像であるか否か、および、リバース表示の二値画像であるか否か、を判定し、ノーマル表示の二値画像に対しては、前記ゲインの高周波成分を強め、リバース表示の二値画像に対しては、弱めるように、前記周波数特性を制御する画像表示装置。
【発明の詳細な説明】
【技術分野】
【０００１】
この発明は、ＣＲＴ（陰極線管）表示装置に代表される画像表示装置に関し、特に、映出される画像の画質を向上させるための改良に関する。
【背景技術】
【０００２】
図２５は、この発明の背景となる従来の画像表示装置の内部構成を示すブロック図である。この装置１５０は、ＣＲＴ９１を有するＣＲＴ装置として構成されている。外部から入力された画像信号Pinは、増幅器９２によって画像信号Pcへと増幅された後に、ＣＲＴ９１のカソード電極（図示を略する）へ入力される。増幅器９２の入力には、抵抗素子９５と容量素子９４を含む直列回路と抵抗素子９３との並列回路が接続されており、入力と出力との間には、抵抗素子９６が介挿されている。すなわち、従来装置１５０は、アクティブ方式（電流フィードバック方式）のビデオ増幅回路を備えている。
【０００３】
増幅器９２の出力とＣＲＴ９１との間には、インダクタ９７と抵抗素子９８の直列回路が介挿されている。増幅器９２のゲインは、抵抗素子９３，９５，９６，９８の抵抗、容量素子９４の容量、および、インダクタ９７の誘導（インダクタンス）によって規定される。特に、容量素子９４およびインダクタ９７は、ゲインの高周波成分を補償する働きを成す。すなわち、容量素子９４の容量、および、インダクタ９７の誘導は、ゲインの周波数特性を規定する。
【０００４】
ＣＲＴ９１には、さらに、高電圧発生部９９が接続されている。高電圧発生部９９は、ＣＲＴ９１へ高電圧を供給することにより、ＣＲＴ９１の内部での電子線の射出を可能にする。従来装置１５０は、以上のように構成されているので、画像信号Pinが表現する画像が、ＣＲＴ９１の前面に備わる画面へと映し出される。
【０００５】
なお、画像用増幅器の周波数特性の制御に関する文献として、特許文献１乃至３が知られる。
【０００６】
【特許文献１】特開昭５０−６８２２１号公報
【特許文献２】特開平２−３１２４６５号公報
【特許文献３】特開平６−１８９１６１号公報
【発明の開示】
【発明が解決しようとする課題】
【０００７】
しかしながら、従来装置１５０では、画像信号Pcのゲインの周波数特性は固定されており、画像の種別などに応じて、周波数特性を任意に変えることができなかった。従来装置１５０において、抵抗素子９５を半固定の可変抵抗へと置き換えられた形態も知られている。しかしながら、抵抗素子９５の抵抗値は、電気的手段で変更することはできず、そのため、画像の種別に応じて、画像の視認性（視覚上の画質）を最適化するために周波数特性を調整することは困難であった。
【０００８】
さらに、特定種類の画像が映出される画面上の特定範囲に限って、画像の種類に合致するように、周波数特性等を制御する技術は、知られていなかった。このように、従来の画像表示装置では、画像に応じた最適な画質を得ることが困難であるという問題点があった。
【０００９】
この発明は、従来の装置における上記した問題点を解消するためになされたもので、画面に映出される画像の視認性を、画像に応じて最適化することのできる画像表示装置を得ることを目的とする。
【課題を解決するための手段】
【００１０】
第１の発明の装置は、画像表示装置であって、画像信号が表現する画像を映出する陰極線管と、可変インダクタを有し、当該可変インダクタの誘導にもとづく周波数特性をもつゲインをもって、前記画像信号を増幅して前記陰極線管へ供給する増幅部と、前記陰極線管のビーム電流を検出するビーム電流検出部と、前記ビーム電流の大きさに基づいて前記誘導を制御することによって、前記周波数特性を制御する制御部と、を備える。
【００１１】
第２の発明の装置では、第１の発明の画像表示装置において、前記増幅部が、前記画像信号を増幅する増幅器を、さらに有し、前記可変インダクタが、前記増幅器と前記陰極線管との間の経路に介挿されている。
【００１２】
第３の発明の装置では、第１または第２の発明の画像表示装置において、前記可変インダクタが、互いに誘導結合した一次コイルと二次コイルとを含んでおり、前記一次コイルは、前記増幅器へ接続されており、前記二次コイルは、前記制御部へ接続されており、前記誘導は、前記一次コイルの誘導であり、前記制御部は、前記二次コイルにおいて、前記一次コイルに流れる電流によって励起される電流を制御することによって、前記一次コイルの誘導を制御する。
【００１３】
第４の発明の装置は、第１ないし第３のいずれかの発明の画像表示装置において、前記画像信号の解像度を、前記画像の同期信号にもとづいて検出する解像度検出部を、さらに備え、前記制御部は、前記周波数特性を、前記画像信号の解像度に依存して変化させる。
【００１４】
第５の発明の装置は、第１ないし第４のいずれかの発明の画像表示装置において、前記増幅部から出力される前記画像信号のパルス波形を検出する過渡特性検出部を、さらに備え、前記制御部は、前記周波数特性を制御して、前記過渡特性検出部で検出された前記パルス波形を目標に近づける。
【００１５】
第６の発明の装置は、第１ないし第５のいずれかの発明の画像表示装置において、前記制御部は、前記ビーム電流検出部で検出された前記ビーム電流にもとづいて、映出される前記画像が、ノーマル表示の二値画像であるか否か、および、リバース表示の二値画像であるか否か、を判定し、ノーマル表示の二値画像に対しては、前記ゲインの高周波成分を強め、リバース表示の二値画像に対しては、弱めるように、前記周波数特性を制御する。
【発明の効果】
【００１６】
第１の発明の装置では、増幅部のゲインの周波数特性が可変インダクタの誘導を通じてビーム電流に基づいて制御されるので、画像信号に適する周波数特性を容易に、かつ、電気的に設定することができ、視認性の良好な画像を得ることができる。
【００１７】
第２の発明の装置では、可変インダクタが増幅器と陰極線管との間の経路に介挿されているので、従来装置のインダクタを、可変のインダクタへと置き換えることによって、増幅部が実現する。このため、従来装置における設計データ等の資源を、そのまま利用することができ、設計および製造に要するコストを節減することができる。
【００１８】
第３の発明の装置では、可変インダクタが、互いに誘導結合した一次コイルと二次コイルとを含んでおり、二次コイルに流れる電流を制御することによって、一次コイルの誘導が制御されるので、周波数特性の電気的制御が、特に容易に行われ得る。
【００１９】
第４の発明の装置では、入力された画像信号の解像度に応じて変わるように、周波数特性が制御されるので、入力された画像信号の解像度に、視覚上、適した周波数特性を、自動的に実現することができる。
【００２０】
第５の発明の装置では、陰極線管へ供給される画像信号のパルス波形が目標へ近づくように、周波数特性が制御されるので、入力された画像信号のパルス波形に関わりなく、視覚上、適した周波数特性を、自動的に実現することができる。
【００２１】
第６の発明の装置では、陰極線管へ映出される画像が二値画像であるときに、画像がノーマル表示かリバース表示かに応じて、周波数特性が適切に変更されるので、表示の種別が変わっても、視認性の良好な画像の映出が自動的に実現する。
【発明を実施するための最良の形態】
【００２２】
＜1. 実施の形態１＞
はじめに、実施の形態１の画像表示装置について、説明する。
【００２３】
＜1-1. 構成と概略動作＞
図１は、実施の形態１の画像表示装置の構成を示すブロック図である。この装置１０１には、画像出力部としてＣＲＴ１が備わっており、外部から入力される画像信号Pinが表現する画像が、ＣＲＴ１の前面に備わる画面１０へと映し出される。すなわち、装置１０１は、ＣＲＴ装置として構成されている。
【００２４】
ＣＲＴ１のカソード電極（図示を略する）には、増幅部２が接続されている。電圧信号としての画像信号Pinは、この増幅部２によって増幅される。増幅されて得られた画像信号Pcは、ＣＲＴ１のカソード電極（図示を略する）へ、電圧信号として入力される。増幅部２は、アクティブ方式（電流フィードバック方式）のビデオ増幅回路として構成されている。すなわち、増幅器２０の入力には、抵抗素子２３と容量素子２２を含む直列回路と抵抗素子２１との並列回路が接続されており、入力と出力との間には、抵抗素子２４が介挿されている。
【００２５】
増幅器２０の出力とＣＲＴ１との間には、インダクタ３と出力抵抗素子１１の直列回路が介挿されている。増幅部２のゲインは、抵抗素子２１，２３，２４，１１の抵抗、容量素子２２の容量、および、インダクタ３の誘導（インダクタンス）によって規定される。特に、容量素子２２およびインダクタ３は、ゲインの高周波成分を補償する働きを成す。すなわち、容量素子２２の容量、および、インダクタ３の誘導は、ゲインの周波数特性を規定する。特に、インダクタ３の誘導は可変となっており（すなわち、インダクタ３は可変インダクタであり）、それによって、ゲインの周波数特性が、インダクタ３によって調整可能となっている。
【００２６】
インダクタ３は、誘導結合した一次コイル３１および二次コイル３２を備えている。一次コイル３１と二次コイル３２は、好ましくは、磁性体を通じて誘導結合している。一次コイル３１は、増幅器２０の出力と出力抵抗素子１１との間に介挿され、二次コイル３２は、制御部４へ接続されている。制御部４は、一次コイル３１を流れる電流によって誘起される二次コイル３２の電流Ｉ、すなわちインダクタ３の二次電流を制御することによって、増幅部２におけるインダクタ３の等価的な誘導、すなわち、一次コイル３１の誘導を制御する。それによって、増幅部２のゲインの周波数特性が制御される。
【００２７】
インダクタ３として、二次電流の制御によって一次コイル３１の誘導を幅広く変えることができ、寄生容量が低く高周波特性に優れるとともに、結合係数が高く、さらに、汎用品として低価格で入手できるという利点を有する、トロイダルタイプのコモンモードチョークが用いられるのが望ましい。
【００２８】
制御部４には、二次コイル３２に接続され、電流Ｉを制限する特性を有する電流調整部４１、および、電流調整部４１を駆動制御する駆動制御部４０とが備わっている。電流調整部４１における電流制限特性は、可変であり、駆動制御部４０によって変更される。すなわち、電流調整部４１では、異なる電流制限特性を有する２個（一般には、複数）の電流経路が並列に接続されている。これらの電流経路は、それぞれ、二次コイル３２を共有する別個のループを形成する。
【００２９】
一方の電流経路に、抵抗素子４４が介挿されることによって、それらの電流経路の電流制限特性が、互いに異なるものとなっている。そして、これらの電流経路には、駆動制御部４０が送出する制御信号に応答して開閉（オン・オフ）するスイッチ４２，４３が、介挿されている。スイッチ４２，４３には、例えば、トランジスタなどのスイッチング素子、あるいは、リレーなどが用いられる。トランジスタが用いられるときには、オン状態において飽和状態となるように、素子の選定、制御信号の値の設定などが行われる。
【００３０】
駆動制御部４０は、例えば、スイッチ４２，４３のいずれか一方を閉じる（オンする）、または、双方を開く（オフする）ことによって、３通りの電流制限特性を実現する。スイッチ４２，４３にトランジスタ等が用いられる場合には、駆動制御部４０が送出する制御信号の電位と電流調整部４１の電位との整合を図るために、二次コイル３２と電流調整部４１とを含む電流Ｉの経路の一部、例えば、二次コイル３２の一端が、接地（グラウンド）電位、あるいは、一定電位に接続される。後者の場合には、図１が示すように、電源１３が接続される。これによって、電流調整部４１を、簡易な回路で構成することが可能となる。
【００３１】
一方、ＣＲＴ１には、さらに、高電圧発生部１２が接続されている。高電圧発生部１２は、ＣＲＴ１へ高電圧を供給することにより、ＣＲＴ１の内部での電子線の射出を可能にする。高電圧発生部１２には、さらに、ビーム電流検出部（輝度検出部）５が接続されている。ビーム電流検出部５は、高電圧発生部１２へ接続されることによって、ビーム電流Ｊを検出する。ビーム電流Ｊの検出信号は、A/D変換部１４によって、デジタル形式の信号へと変換された後に、駆動制御部４０へと伝達される。
【００３２】
駆動制御部４０は、プログラムを搭載しないハードウェアのみで構成することも可能であるが、好ましくは、プログラムにもとづいて動作するＣＰＵ（図示を略する）と、このプログラムを格納するメモリ（図示を略する）とを備える。それによって、駆動制御部４０を簡単に構成することが可能となる。駆動制御部４０は、ＣＲＴ１の内部における電子線の電流、すなわち、ビーム電流Ｊにもとづいて、電流調整部４１を制御する。
【００３３】
なお、図示を略するが、外部からは、画像信号Pinと同時に、水平および垂直同期信号も入力され、これらの同期信号に同期して、ＣＲＴ１の電子線の走査が行われる。それによって、画面１０には、画像信号Pinが表現する画像が、正しく再現される。
【００３４】
＜1-2. 駆動制御部の動作＞
図２〜図５は、一例として１画素の画像を表現するパルス状の画像信号Pinが入力された場合の駆動制御部４０の動作説明図である。このようなパルス状の画像信号Pinは、例えば、二値画像において点や線（例えば、文字）を表現する。インダクタ３で規定される増幅部２の周波数特性が異なると、入力される画像信号Pinのパルス波形が同一であっても、ＣＲＴ１へ入力される画像信号Pcの波形は異なる。
【００３５】
図２は、白背景の中に描かれた黒文字等（リバース表示の文字・線図等の二値画像）を表現するパルス状の画像信号Pinが、周波数特性の異なる増幅部２を通過することによって得られる二通りの画像信号Pcと、それらが変換されて得られる輝度とを、例示している。高周波成分を強調する周波数特性の下で得られる画像信号Pc1では、立ち上がり、立ち下がりともに、急峻であり、ピークが高い。さらに、定常値への復帰の前に、振動（リンギング）が現れる。
【００３６】
これに対して、高周波成分を弱める周波数特性の下で得られる画像信号Pc2では、立ち上がり、立ち下がりともに、緩やかであり、ピークが低い。特に、定常値への復帰までに長い時間を要する。画像信号Pc1,Pc2それぞれの、立ち上がりから低常値への復帰までの期間T1,T2（すなわち、パルスの時間幅）の間には、T1＜T2の関係が成り立つ。画像信号Pcの波形は、ＣＲＴ１に固有のガンマ特性（カソード電圧と輝度の関係）にもとづいて、輝度の波形へと変換される。
【００３７】
画像信号Pc1は、画像信号Pc2よりも、ピークが低いために、画像信号Pc1,Pc2それぞれの輝度B1,B2は、B1＜B2となる。しかしながら、輝度差（B2−B1）は、図２のガンマ特性の曲線から理解されるように、画像信号Pc1,Pc2のピークの差ほどには明瞭に現れない。すなわち、リバース表示では、高周波成分の強さが異なっても、輝度には目立つほどの差異が現れない。
【００３８】
図３は、画像信号Pc1,Pc2が表現する画像（例えば、文字）を例示している。図３の例では、表現される画像は、画面１０の垂直方向Ｖに沿った線分である。電子ビームの走査線は、水平方向Ｈに沿っており、図２に示したパルス状の画像信号Pc1,Pc2が、水平方向Ｈの同一位置に反復して現れることによって、図３の画像が画面１０に映出される。
【００３９】
画像信号Pc1,Pc2がそれぞれ表現する画像の幅L1,L2の間には、L1＜L2の関係が現れる。この関係は、期間T1,T2の間の関係に対応しており、幅L1,L2は、それぞれ、二通りの周波数特性の下での、ビーム径に対応している。また、輝度B1,B2の間の関係を反映して、黒文字の白背景に対するコントラストは、画像信号Pc2よりも画像信号Pc1の方が幾分強くなる。しかしながら、上記したように、その差は、視覚の上で目立つほどではない。
【００４０】
図４は、図２とは逆に、黒背景の中に描かれた白文字等（ノーマル表示の二値画像）を表現するパルス状の画像信号Pinが、周波数特性の異なる増幅部２を通過することによって得られる二通りの画像信号Pc3, Pc4と、それらが変換されて得られる輝度B3, B4とを、例示している。高周波成分を強調する周波数特性の下で得られる画像信号Pc3では、立ち下がり、立ち上がりともに、急峻であり、逆ピークは深い。さらに、定常値への復帰の前に、振動（リンギング）が現れる。
【００４１】
これに対して、高周波成分を弱める周波数特性の下で得られる画像信号Pc4では、立ち下がり、立ち上がりともに、緩やかであり、逆ピークが浅い。また、定常値への復帰までに長い時間を要する。画像信号Pc3,Pc4それぞれの、立ち上がりから低常値への復帰までの期間T3,T4の間には、白背景の場合と同様に、T3＜T4の関係が成り立つ。
【００４２】
画像信号Pc3,Pc4それぞれの輝度B3,B4は、白背景の場合とは逆に、B4＜B3となる。しかも、図３のガンマ特性の曲線から解るように、画像信号Pc3,Pc4の逆ピークの深さにおけるわずかな差異が、大きな輝度の差（B3−B4）をもたらす。すなわち、ノーマル表示では、高周波成分の強さが、わずかに異なっても、輝度には際だった差異が現れる。
【００４３】
図５は、画像信号Pc3,Pc4が表現する画像を例示している。図５に例示する画像は、図３に例示した画像と同一である。画像信号Pc3,Pc4がそれぞれ表現する画像の幅L3, L4の間には、期間T3, T4の間の関係を反映して、白背景の場合と同様に、L3＜L4の関係が現れる。また、輝度B3, B4の間の関係を反映して、白文字の黒背景に対するコントラストは、白背景の場合とは逆に、画像信号Pc3よりも画像信号Pc4の方が強くなる。しかも、上記したように、コントラストの差は、視覚の上で顕著に現れる。
【００４４】
視覚上の画質の良否、すなわち、画像の視認性に関しては、以下の理由により、リバース表示では、高周波成分が弱められる周波数特性が望ましく、ノーマル表示では、逆に強められる特性が望ましい。リバース表示の場合、画像信号Pc1,Pc2の間で、コントラストには視覚上、目立つほどの差異がないのに加えて、画像信号Pc1では、幅L1が狭いために、画面１０の発光すべきではない部位にも電子ビームが照射され、本来、暗部とすべき文字の部分が、視覚上、不明瞭となる。これに対して、画像信号Pc2では、幅L2が広いために、本意としない部位への電子ビームの照射を回避することができ、暗部によって表現される文字が、視覚上、明瞭となる。
【００４５】
リバース表示では、さらに、ＣＲＴ１に備わるアパーチャグリル（図示を略する）のグリルピッチと二値画像との干渉に由来するモアレ縞の発生を抑える上でも、高周波成分が弱められた画像信号Pc2の方が良好である。これに対して、ノーマル表示では、モアレ縞の発生の恐れがないのに加えて、画像信号Pc4よりも画像信号Pc3の方が、コントラストが目立つほどに強い。したがって、ノーマル表示では、高周波成分が強められた画像信号Pc3の方が、視認性において望ましい。
【００４６】
このため、駆動制御部４０は、画像がリバース表示であるときには、例えば、スイッチ４２，４３の双方をオフすることによって、増幅部２のゲインの高周波成分を弱める。これに対して、画像がノーマル表示であるときには、例えば、スイッチ４３をオンすることによって、ゲインの高周波成分を強める。
【００４７】
駆動制御部４０は、さらに、画像が二値画像ではなく、例えば、動画、写真画などの多値画像であるときには、スイッチ４２をオンし、それによって、さらに高周波成分を強めることも可能である。高周波成分が強調されることによって、動画、写真画には、いわゆる輪郭補正が加えられる。輪郭補正によって、動画、写真画等の輪郭が、視覚上、より明瞭となる。高周波成分の強調と輪郭補正との関係については、実施の形態２で言及する。
【００４８】
駆動制御部４０は、画像の種別を、ビーム電流Ｊにもとづいて判断する。例えば、二つの基準値が設定されており、ビーム電流Ｊのある期間にわたる平均値、例えば、１画面分の平均値が、低い基準値以下であれば、画像がノーマル表示の二値画像であると判定し、高い基準値以上であれば、リバース表示の二値画像であると判定する。また、例えば、平均値が低い基準値と高い基準値の間にあれば、動画等の多値画像と判定される。
【００４９】
以上のように、装置１０１では、画像の種別にもとづいて、ゲインの周波数特性が調整されるので、画像の種別によらずに、視認性の良好な画像の映出が可能となる。しかも、ビーム電流検出部５の検出信号にもとづいて、周波数特性の制御が行われるので、画像の種別が変わっても、視認性の良好な画像が、自動的に得られる。
【００５０】
さらに、誘導が可変のインダクタ３が用いられるので、ゲインの高周波成分の制御が容易であり、しかも、電気的な制御が可能である。特に、インダクタ３が、増幅器２０とＣＲＴ１との間の経路に介挿されているので、従来装置１５０に設けられているインダクタ９７を、インダクタ３へと置き換えることによって、増幅部２が出来上がる。すなわち、従来装置１５０における設計データ等の資源を、そのまま利用することができ、設計および製造に要するコストを節減することができる。
【００５１】
また、インダクタ３が、相互インダクタンスを通じて互いに誘導結合した一次および二次コイル３１，３２を備えているために、増幅部２における等価的な誘導を、電流調整部４１を用いて、容易に調整することが可能である。すなわち、周波数特性の電気的制御が、一層容易に行われ得る。また、電流調整部４１は、スイッチ４２，４３のオン、オフ動作のみを通じて、電流Ｉを段階的に調整するので、電流調整部４１の設計が容易である。また、駆動制御部４０による制御も単純かつ容易である。
【００５２】
＜2. 実施の形態２＞
図６は、実施の形態２の画像表示装置の構成を示すブロック図である。この装置１０２は、電流調整部４１に備わる電流Ｉの経路が単一であって、経路に介挿されるトランジスタによって、経路の電流制限特性が連続的に可変である点において、実施の形態１の装置１０１（図１）とは特徴的に異なっている。図６が示すように、トランジスタとして、例えば、接合型のＦＥＴ４５が用いられる。ＦＥＴ４５は、好ましくは、デプレッション型である。
【００５３】
ＦＥＴ４５のソースＳおよびドレインＤは、それぞれ、二次コイル３２の二つの端部へと、接続されている。ソースＳには電源１３が、さらに接続されており、それによって、ＦＥＴ４５がデプレッション型として動作することが可能になっている。駆動制御部４０は、制御信号として、駆動電圧信号を送出する。駆動電圧信号は、ＦＥＴ４５のゲートＧに接続された抵抗素子４６を通じてゲートＧへ、ゲート電圧として入力される。
【００５４】
図７は、ＦＥＴ４５のゲート電圧とドレイン・ソース間抵抗の関係を示すグラフである。ＦＥＴ４５は、負の方向に十分に大きなゲート電圧が印加されるとオフし、正の方向に十分に大きなゲート電圧が印加されるとオンする。両者の中間の範囲である非飽和領域では、ゲート電圧の正方向への増加にともなって、ドレイン・ソース間抵抗が減少する。非飽和領域の範囲は、インダクタ３の特性（例えば、巻き線数など）にも依存するので、インダクタ３の特性は、ＦＥＴ４５が非飽和領域で動作し得るように、適切に選択される。さらに、制御信号の範囲も、ＦＥＴ４５が常に非飽和領域で動作するように、適切に設定される。
【００５５】
図８は、制御信号、画像信号Pc、および、画面１０に映出される画像の関係を示す動作説明図である。実施の形態５で後述するように、単一の画面１０の中に、同時に、周波数特性の異なる画像が映出されることも可能であるが、図８では、異なる時間に画面１０に映出される３種の画像が、便宜上、一枚の画面１０の中に描かれている。
【００５６】
駆動制御部４０は、ビーム電流Ｊの大きさにもとづいて、画像の種別を判別する。駆動制御部４０は、画像が動画等であるときには、制御信号を正の方向に最も高く設定し、画像がノーマル表示の二値画像であるときには、中間の高さに設定し、画像がリバース表示の二値画像であるときには、最も低く（負の方向の最も大きく）設定する。その結果、インダクタ３の等価的な誘導、すなわち、一次コイル３１の誘導は、この順序で上昇する。
【００５７】
したがって、ゲインの高周波成分は、動画等に対しては最も強く、ノーマル表示の二値画像に対しては中程度となり、リバース表示の二値画像に対しては、最も弱くなる。周波数特性に関する三種の画像の間での好ましい関係は、実施の形態１で説明したとおりであり、図８の関係は、この好ましい関係に合致している。動画像等では高周波成分が特に強いために、画像信号PcにオーバシュートＯＳおよびアンダーシュートＵＳが顕著に現れる。その結果、動画等の輪郭が強調されるという輪郭補正が実現する。それによって、動画等の輪郭が鮮明となる。
【００５８】
また、３段階の中間に位置するノーマル表示の二値画像に対する周波数特性は、視認性を考慮して、例えば、従来装置１５０における周波数特性、すなわち、標準の周波数特性に同等程度に設定される。動画像等に対しては、標準よりも高周波成分が強調され、リバース表示の二値画像に対しては、逆に弱められると良い。
【００５９】
以上のように、装置１０２では、電流Ｉの単一の経路に介挿されるＦＥＴ４５のゲート電圧を制御することによって、ゲインの周波数特性を様々に変えることができる。また、上記では、周波数特性が３段階に変えられる例を示したが、ＦＥＴ４５のドレイン・ソース間抵抗は、図７が示すようにゲート電圧に対して、連続に変化し得るために、電流調整部４１の構成を変更することなく、周波数特性の段階数を無制限に大きくすることが可能であり、さらに、連続的に変更することも可能である。すなわち、簡単な構成で、より緻密な周波数特性の制御を実現することが可能である。
【００６０】
また、図６では、電流調整部４１に備わるトランジスタがＦＥＴ４５である例を示したが、別の種類のトランジスタであっても良く、また、非飽和状態で動作可能なトランジスタと同等の機能を果たすアクティブ素子に置き換えることも可能である。図９は、その一例を示すブロック図である。この装置１０３では、ＦＥＴ４５に代えて、バイポーラ型のトランジスタ４７が用いられている。
【００６１】
トランジスタ４７のエミッタおよびコレクタは、それぞれ、二次コイル３２の二つの端部へと、接続されている。エミッタには接地電位を伝える配線、すなわち接地電位線が、さらに接続されており、それによって、トランジスタ４７が動作することが可能になっている。駆動制御部４０は、制御信号として、電流信号を送出する。この電流信号は、トランジスタ４７のベースに接続された抵抗素子４８を通じて、ベースへ、ベース電流として入力される。
【００６２】
＜3. 実施の形態３＞
図１０は、実施の形態３の画像表示装置の構成を示すブロック図である。この装置１０４は、電流調整部４１に定電流回路が備わる点において、実施の形態２の装置１０２（図６）とは特徴的に異なっている。電流調整部４１に備わる単一の電流Ｉの経路には、ＦＥＴ６０と抵抗素子６１の直列回路が介挿されている。すなわち、ＦＥＴ６０のドレインＤは二次コイル３２の一端へ接続され、ＦＥＴ６０のソースＳは抵抗素子６１の一端へ接続され、抵抗素子６１の他端は二次コイル３２の他端へと接続されている。抵抗素子６１の他端には、接地電位線が、さらに接続されている。
【００６３】
ＦＥＴ６０のゲートＧには演算増幅器６２の出力が接続され、ＦＥＴ６０のソースＳは、演算増幅器６２の反転入力へと接続されている。すなわち、電流Ｉに比例して抵抗素子６１に発生する電圧降下が、演算増幅器６２へとフィードバックされる。駆動制御部４０は、電圧信号の形態で制御信号を出力し、この制御信号は、演算増幅器６２の非反転入力へ入力される。
【００６４】
したがって、抵抗素子６１の電圧降下が一定の値となるように、言い換えると、電流Ｉが一定となるように、ＦＥＴ６０のドレイン・ソース間抵抗が演算増幅器６２によって調整される。一定である電流Ｉの値は、制御信号に依存する。したがって、制御信号によって、電流Ｉを、様々に、かつ、連続的に変更することが可能である。
【００６５】
例えば、ＦＥＴ６０の特性に、不均一、経時変化、および、温度変化に伴う変化等があっても、二次コイル３２には、制御信号に応じた一定の大きさの電流Ｉが流れる。このように、装置１０４は、簡単な構成で、素子の特性における誤差を吸収し、精度の高い周波数特性の制御を実現する。
【００６６】
＜4. 実施の形態４＞
図１１は、実施の形態４の画像表示装置の構成を示すブロック図である。この装置１０５は、解像度検出部７０および過渡特性検出部７１が備わる点で、実施の形態１〜３の装置１０１〜１０４とは、特徴的に異なっている。図１１では、電流調整部４１として、装置１０２の電流調整部４１（図６R>６）が例示されているが、他の装置１０１，１０３，１０４の電流調整部４１へ置き換えられてもよい。
【００６７】
装置１０５は、使用されるときに、外部装置９０へと接続される。外部装置９０は、例えば、パーソナルコンピュータである。外部装置９０は、画像信号Pinと同期信号Syncを、装置１０５へ伝送する。画像信号Pinには、３種の色成分Pin(R), Pin(G), Pin(B)が含まれ、同期信号Syncには、水平同期信号Sync(H)および垂直同期信号Sync(V)が含まれる。
【００６８】
過渡特性検出部７１は、画像信号Pinが増幅部２を通過することによって得られる画像信号Pcの過渡特性を検出する。解像度検出部７０は、同期信号Syncにもとづいて、外部装置９０が送出する画像信号Pinの解像度を検出する。駆動制御部４０は、これらの検出結果にもとづいて、画像の視認性を向上するように、増幅部２のゲインの周波数特性を制御する。
【００６９】
なお、同期信号Syncは、ＣＲＴ１の画面１０の上に電子ビームを走査させるための従来周知の装置部である同期・偏向回路（図示を略する）へも、供給される。このため、図１１では、同期信号Syncが、解像度検出部７０とは別の経路へ分岐して伝えられるように描かれている。
【００７０】
画像信号が、１画素の画像を表現するパルス状の波形をもって入力された場合に、増幅部２のゲインの高周波成分が過度に強いときには、図１２が示すように、増幅後の画像信号Pcにリンギングが現れる。その結果、画面１０に映し出される画像には、図１３が示すように、リンギングに対応した画像の歪が現れる。逆に、増幅部２のゲインの高周波成分が過度に弱いときには、図１４が示すように、増幅後の画像信号Pcでは、定常値への収束が過度に遅延する。その結果、画面１０に映し出される画像には、図１５が示すように、残像が現れる。
【００７１】
これに対して、周波数特性が適切に設定されたときには、図１６が示すように、増幅後の画像信号Pcは、リンギングを伴わず、しかも、定常値へ適度な早さで収束する。その結果、画面１０には、図１７が示すように、歪も残像も伴わない適切な画像が映出される。過渡特性検出部７１は、画像信号Pcのパルス波形、すなわち、過渡特性を検出する。過渡特性の検出は、例えば、画像信号Pcを、画像信号Pinのクロック周波数よりも高い周波数でサンプリングし、Ａ／Ｄ変換することによって行われる。
【００７２】
駆動制御部４０は、過渡特性検出部７１で得られたデジタル信号にもとづいて、過渡特性が、図１６R>６に示される目標からどれだけ変位しているかを判定し、この変位を解消するように、電流調整部４１およびインダクタ３を通じて、ゲインの周波数特性を修正する。このサイクルが反復されることによって、入力される画像信号Pinの過渡特性がどのようであっても、目標とされる適切な画像信号Pcの過渡特性が得られ、画面１０には図１７が示すような適切な画像が映出される。すなわち、外部装置９０の特性、および、外部装置９０と装置１０５とを接続する配線の特性に依存することなく、適切な画像が映出される。
【００７３】
目標とされる過渡特性は、外部装置９０が出力する画像信号Pinの解像度に依存して変更されるのが、より望ましい。解像度検出部７０は、この目的のために設けられる。画像信号Pinの解像度とは、画像信号Pinの一画面当たりの水平方向Ｈおよび垂直方向Ｖに沿った画素の個数（例えば、1024画素×768画素など）であり、通常において、外部装置９０ごとに、その値は定まっている。
【００７４】
画像信号Pinの解像度と、同期信号Syncの周期との間には、周知の簡単な関係が成り立つ。解像度検出部７０は、同期信号Syncを受信し、それらの周期を算出することによって、画像信号Pinの解像度を検出する。そのためには、例えば、同期信号Syncの周期が、クロックパルスの個数へ変換され、さらに、デジタル信号処理を通じて、解像度が算出されるとよい。
【００７５】
駆動制御部４０は、入力された画像信号Pinの解像度に応じて、例えば、図１８のグラフに示されるように、画像信号Pcの解像度、すなわち、映出される画像の解像度を制御する。増幅部２のゲインの高周波成分が強調されるほど、画像信号Pcの解像度は高くなる。したがって、図１８の縦軸は、ゲインの高周波成分の強さと等価である。図１８が示すように、駆動制御部４０は、画像信号Pinの解像度の中で、水平解像度のみを参照すれば足りる。したがって、解像度検出部７０では、水平解像度のみが検出されれば十分である。
【００７６】
装置１０５は、画像信号Pinの最高解像度が再現性よく映出されるように設定される（直線Ｃ１）。これに対して、画像信号Pinの解像度が低ければ、それに応じて、映出される画像の解像度は低くても、視認性の上では、支障がない。例えば、画像信号Pin, Pcの間での解像度の関係は、直線Ｃ２で与えられる関係であってもよい。
【００７７】
さらに、画像信号Pinの解像度とＣＲＴ１のグリルピッチとの干渉により、ある範囲にわたって、画面１０にモアレ縞が出現し易いことが知られている。図１８には、この範囲を、「モアレ領域」として例示している。モアレ領域の位置、および、幅は、直線Ｃ１が示す解像度の高さ（画面１０に映出される電子ビームの太さ）に依存する。モアレ縞の出現を抑えるには、画像信号Pin, Pcの間での解像度の関係を変えればよい。
【００７８】
そのために、例えば、直線Ｃ１の高さで決まるモアレ領域の高解像度側の端部よりも幾分高めの値が、参照解像度Rrefとして設定される。駆動制御部４０は、解像度検出部７０で検出された画像信号Pinの解像度が、参照解像度Rref以上であれば、画像信号Pcの解像度を、直線Ｃ１に一致するように、高い値に決定する。逆に、画像信号Pinの解像度が、参照解像度Rrefよりも低ければ、画像信号Pcの解像度が、直線Ｃ１よりも低く直線Ｃ２よりも高い、ある高さに決定される。駆動制御部４０は、決定された画像信号Pcのそれぞれの解像度に対応した周波数特性を実現するように、上記した過渡特性の目標値を設定する。
【００７９】
目標とされる過渡特性は、画像の種別（ノーマル表示、リバース表示など）にも依存して修正されるのが、さらに望ましい。このため、装置１０５では、駆動制御部４０は、過渡特性検出部７１および解像度検出部７０の検出結果だけでなく、ビーム電流検出部５で検出されるビーム電流Ｊをも参照する。例えば、ノーマル表示の二値画像に対しては、高周波成分を強調するように、目標が修正され、リバース表示の二値画像に対しては、高周波成分を弱めるように、修正されるとよい。
【００８０】
以上のように、装置１０５では、解像度検出部７０、過渡特性検出部７１、および、ビーム電流検出部５が備わっており、駆動制御部４０は、これらが得た検出信号を参照して制御を行う。このため、画像の種別だけでなく、入力される画像信号Pinの解像度の相違、および、入力される画像信号Pinの過渡特性（パルス波形）の相違をも考慮して、総合的に視認性が最適化された画像を、自動的に映出することが可能である。
【００８１】
なお、外部装置９０から装置１０５へ入力される画像信号Pinは、RGB表色系の画像信号Pin(R,G,B)だけでなく、例えばYIQ表色系など、他の表色系の画像信号であってもよい。また、過渡特性検出部７１は、３成分すべてについて、過渡特性の検出を行っても良く、代表として一成分を検出しても良い。検出対象とされる成分の個数が多いほど、より精度の高い検出が可能となる。
【００８２】
また、解像度検出部７０と過渡特性検出部７１の中で、いずれか一方のみが備わるように、装置１０５を変形することも可能である。さらに、ビーム電流検出部５およびA/D変換部１４を除去することも可能である。すなわち、画像の種別の相違、入力される画像信号Pinの解像度の相違、および、入力される画像信号Pinの過渡特性の相違の各々を、単独に考慮し、あるいは、任意の組み合わせによる総合的判断にもとづいて、映出される画像の視認性を最適化することが、一般に可能である。例えば、駆動制御部４０は、解像度検出部７０で検出された解像度のみにもとづいて、図１８の関係を実現するように、周波数特性を制御することも可能である。
【００８３】
さらに、図１９に示すように、周波数特性を、外部から手動で変更できるように、装置１０５を変形することも可能である。この装置１０６では、過渡特性検出部７１の代わりに、操作部７３、可変抵抗素子７４、および、A/D変換部７５が備わっている。可変抵抗素子７４には、例えば、正電源電位線と接地電位線とが接続されている。操作者（オペレータ）は、操作部７３を操作することによって、可変抵抗素子７４に発生する電圧降下を変えることができる。この電圧降下は、A/D変換部７５によってデジタル信号へ変換されて、駆動制御部４０へ伝えられる。
【００８４】
駆動制御部４０は、過渡特性検出部７１による検出信号の代わりに、A/D変換部７５が出力する信号を参照するとよい。その結果、解像度検出部７０およびビーム電流検出部５による検出信号にもとづいて設定された周波数特性を、操作者の手動にもとづいて、シフトすることが可能となる。操作者は、例えば、画面１０に映出される画像を目視しつつ、適切な過渡特性が得られるように、操作部７３を操作することができる。特に、装置１０６のように、電流調整部４１が非飽和領域で動作するＦＥＴ４５を備えるときには、操作者は、周波数特性を、連続的にシフトさせることが可能である。
【００８５】
＜5. 実施の形態５＞
図２０は、実施の形態５の画像表示装置の構成を示すブロック図である。この装置１０７は、範囲指定部８を備える点が特徴的である。駆動制御部４０は、例えば、解像度検出部７０およびビーム電流検出部５による検出信号、ならびに、操作部７３の操作にもとづく周波数特性の制御など、実施の形態１〜４で例示した制御を、範囲指定部８が指定する全体画像の中の特定領域（例えば、小画面）に映出される画像に対して、選択的に実行する。図２０は、装置１０６（図１９）に、範囲指定部８が付加された形態を例示している。
【００８６】
範囲指定部８は、画像信号Pinまたは同期信号Syncに重畳して外部装置９０から伝送される位置信号を検出し、それにもとづいて、特定範囲（以下、「制御ウィンドウ」と称する）を指定する。位置信号は、制御ウィンドウの位置を表現する信号である。図２１の動作説明図が示すように、画面１０に映出可能な全体画像の中に設定される制御ウィンドウＷに対応する位置信号Csは、例えば、同期信号Sync、または、画像信号Pinに対して、制御ウィンドウＷの端部に対応する位置に重畳される。
【００８７】
位置信号Csが、同期信号Syncと画像信号Pinのいずれに重畳されるか、あるいは、双方に重畳されるかは、外部装置９０に依存する。位置信号Csが画像信号Pinに重畳される形態では、例えば、外部装置９０がパーソナルコンピュータである場合に、ハードウェアによらずに、画像信号Pinを出力するソフトウェア（プログラム）のみで、位置信号Csを生成することができるという利点がある。
【００８８】
図２１は、同期信号Syncに重畳される位置信号Csが、水平同期信号Sync(H)と垂直同期信号Sync(V)の双方に重畳される例を示しているが、水平同期信号Sync(H)にのみ重畳されてもよい。また、画像信号Pinに重畳される位置信号Csは、３成分の画像信号Pin(R,G,B)のすべてに重畳されてもよく、いずれか一つ、あるいは、２成分に重畳されてもよい。一般に、位置信号Csが重畳される対象とされる信号が多いほど、位置信号Csの検出の精度が高まる。
【００８９】
図２２は、範囲指定部８の内部構成を示すブロック図である。画像信号Pinに重畳された位置信号Csは、位置信号抽出部８１によって抽出され、同期信号Syncに重畳された位置信号Csは、位置信号抽出部８４によって抽出される。画像信号Pinに位置信号Csが重畳されるときには、重畳された位置信号Csの抽出を容易化するために、望ましくは、位置信号Csが存在する部位では、画像信号Pinは消去されるか、あるいは、弱められる。その結果、画面１０には、図２１に示されるように、制御ウィンドウＷの水平方向Ｈに沿った端部には、位置信号Csに対応する画像が映出される。その結果、全体画像の中での制御ウィンドウＷの位置を、容易に視覚で確認することができる。
【００９０】
図２２に戻って、位置信号抽出部８１で抽出された位置信号Csは、範囲決定部８２へ送られる。範囲決定部８２は、画像信号Pinの中の位置信号Csの位置を判断することによって、全体画像の中の制御ウィンドウＷの位置を決定する。その結果、制御ウィンドウＷの位置を指定する信号が、範囲決定部８２から駆動制御部４０へと送出される。
【００９１】
同様に、位置信号抽出部８４で抽出された位置信号Csは、範囲決定部８５へ送られる。範囲決定部８５は、同期信号Syncの中の位置信号Csの位置を判断することによって、全体画像の中の制御ウィンドウＷの位置を決定する。その結果、制御ウィンドウＷの位置を指定する信号が、範囲決定部８５から駆動制御部４０へと送出される。
【００９２】
範囲指定部８は、このように、同期信号Syncと画像信号Pinの双方に対応した２系統の位置信号処理系を備えているので、位置信号Csを同期信号Syncと画像信号Pinのいずれに重畳する外部装置９０に対しても、あるいは、双方に重畳する外部装置９０に対しても、適切な処理を行い得る。駆動制御部４０は、範囲決定部８２，８５の一方、または、双方から伝送される信号が指定する制御ウィンドウＷに対して、選択的に、実施の形態１〜４で述べた様々な制御を実行する。なお、幅広い外部装置９０に対応する必要がなければ、範囲指定部８は、２系統の処理系を備える必要はなく、特定の外部装置９０に対応した１系統のみを備えていてもよい。
【００９３】
図２１に戻って、画像信号Pinに重畳される位置信号Csについて例示するように、位置信号Csは、様々なパターンを持つことが可能である。位置信号Csの画像信号Pinまたは同期信号Sync内の位置によって制御ウィンドウＷの位置を表現するだけでなく、パターンを持つことによって、制御ウィンドウＷの中で制御されるべき画質の種別を表現することが可能となる。制御される画質には、輪郭補正の有無などの周波数特性によって調整可能な画質だけでなく、画像の明るさ、コントラストなど、周波数特性だけでは調整できない画質が含まれてもよい。
【００９４】
図２１に例示されるパターンは、様々なパルス数、パルス間隔、および、パルス幅を有するパルス列であり、パルス列で表現されたバーコードに相当する。位置信号Csのパターンは、図２１の例に限られない。画像信号Pinに重畳される位置信号Csのパターンは、画像信号Pinとは区別できる範囲で、任意に設定することが可能である。
【００９５】
図２２が示すように、範囲指定部８は、画質制御解読部８３，８６を、さらに備えている。これらの画質制御解読部８３，８６は、位置信号抽出部８１，８４でそれぞれ抽出された位置信号Csのパターンを解読し、制御すべき画質の種別を判定する。画質制御解読部８３，８６は、さらに、制御すべき画質の種別を指定する信号を、駆動制御部４０へ送出する。駆動制御部４０は、画質制御解読部８３，８６の一方、または、双方から伝送される信号が指定する画質の種別に関する制御を、制御ウィンドウＷに対して実行する。
【００９６】
例えば、制御ウィンドウＷに対して、輪郭補正が加えられ、あるいは、画像の明るさが変更される。駆動制御部４０は、電流調整部４１を通じて周波数特性を制御するだけでなく、画面１０に映出される画像の明るさや、コントラストを調整する装置部分である前置増幅器２５に対しても、制御信号を送出する。それによって、明るさ、コントラストなど、周波数特性を通じて制御できない種別の画質に対しても、位置信号Csが表現するとおりの制御が行われる。
【００９７】
実施の形態２で参照した図８では、画面１０の中に３種の画像が、便宜上、並んで描かれていた。しかしながら、実施の形態５の装置１０７を用いれば、図８に描かれるとおりに、周波数特性がそれぞれ適切に設定された三種の画像を、同一の全体画像の中に並んで映出することも可能となる。
【００９８】
以上のように、装置１０７では、外部装置９０の指定にもとづいて、全体画像の中の制御ウィンドウＷに対して、選択的に画質の制御が行われる。また、全体画像の中での制御ウィンドウＷの範囲だけでなく、制御すべき画質の種別も、外部装置９０によって指定可能である。これによって、映出されるべき様々な形態の画像に対して、視認性を高めるための画質の制御が、柔軟に行われ得る。
【００９９】
＜6. 実施の形態６＞
図２３は、実施の形態６の画像表示装置の構成を示すブロック図である。この装置１０８は、操作者の操作によって、制御ウィンドウＷの位置が指定可能である点が特徴的である。すなわち、装置１０８は、操作者の操作にもとづいて位置信号Csを生成可能なように、操作部７６、可変抵抗素子７７、A/D変換部７８、および、位置信号発生部７９を備えている。可変抵抗素子７７には、例えば、正電源電位線と接地電位線とが接続されている。
【０１００】
操作者は、操作部７６を操作することによって、可変抵抗素子７７に発生する電圧降下を変えることができる。この電圧降下は、A/D変換部７８によってデジタル信号へ変換されて、位置信号発生部７９へ伝えられる。位置信号発生部７９は、A/D変換部７８が出力するデジタル信号にもとづいて、操作部７６が指定する制御ウィンドウＷの位置を表現する位置信号Csを生成する。このとき、位置信号発生部７９は、外部装置９０が送出する同期信号Syncを参照することにより、制御ウィンドウＷの位置に対応したタイミングで位置信号Csを出力する。
【０１０１】
信号混合部８７は、外部装置９０が送出する画像信号Pinに、位置信号発生部７９が出力する位置信号Csを重畳する。位置信号Csは、画像信号Pinの中の制御ウィンドウＷの位置に対応した部位に重畳される。範囲指定部８は、信号混合部８７が出力する信号の中から、位置信号Csを抽出し、さらに、位置信号Csが表現する制御ウィンドウＷの位置を決定し、制御ウィンドウＷを駆動制御部４０へ指定する。範囲指定部８は、装置１０７の範囲指定部８（図２２）の中で、位置信号抽出部８１および範囲決定部８２を備えておれば足りる。
【０１０２】
増幅部２には、画像信号Pinとともに位置信号Csが入力されるので、図２４が示すように、画面１０には、制御ウィンドウＷの端部、例えば、左上隅と右下隅に、位置信号Csが現れる。操作者は、位置信号Csを目視することによって、制御ウィンドウＷを認識することができる。したがって、操作者は、位置信号Csを目視しつつ、操作部７６を操作することによって、全体画像の中の所望の位置へと制御ウィンドウＷを移動させることが可能である。このように、装置１０８では、操作者の手動によって、全体画像に対する制御ウィンドウＷの位置を、任意に指定することが可能である。
【０１０３】
＜7. 変形例＞
(1) 以上の実施の形態では、増幅部２で増幅された画像信号Pcが、ＣＲＴ１のカソードに入力される例、すなわち、ＣＲＴ１がカソード電圧制御型である例を示したが、言うまでもなく、ＣＲＴ１はグリッド電圧制御型であってもよい。
【０１０４】
(2) 以上の実施の形態では、インダクタ３は、増幅器２０の出力とＣＲＴ１との間の経路に介挿されていたが、増幅部２の中で、ゲインの周波数特性に影響を与える他の部位に設けられても良い。ただし、増幅器２０の出力とＣＲＴ１との間の経路に介挿される形態では、実施の形態１で述べたような利点が得られる。
【０１０５】
(3) 相互インダクタンスで結合する複数のコイルを有するインダクタ３の代わりに、単一のコイルを有し、例えば、磁性体のコアの位置、コアのギャップの大きさなどを、電気的に調整可能なインダクタを用いても良い。ただし、インダクタ３では、実施の形態１で述べたような利点が得られる。
【０１０６】
(4) 図１９の装置１０６において、解像度検出部７０、過渡特性検出部７１、および、ビーム電流検出部５のいずれも備わらず、代わりに、操作部７３、可変抵抗素子７４、および、A/D変換部７５が備わるように、最も簡単な構成へと変更することも可能である。このとき、周波数特性の制御は手動でのみ行われる。操作者が画面１０を目視しつつ手動操作することによって、映出される画像に対して最適な周波数特性を実現することが可能である。ただし、解像度検出部７０、過渡特性検出部７１、および、ビーム電流検出部５などが備わる形態では、実施の形態４で述べたような利点が得られる。
【図面の簡単な説明】
【０１０７】
【図１】実施の形態１の装置のブロック図である。
【図２】実施の形態１の装置の動作説明図である。
【図３】実施の形態１の装置の動作説明図である。
【図４】実施の形態１の装置の動作説明図である。
【図５】実施の形態１の装置の動作説明図である。
【図６】実施の形態２の装置のブロック図である。
【図７】実施の形態２のＦＥＴの特性を示すグラフである。
【図８】実施の形態２の装置の動作説明図である。
【図９】実施の形態２の装置の別の例のブロック図である。
【図１０】実施の形態３の装置のブロック図である。
【図１１】実施の形態４の装置のブロック図である。
【図１２】実施の形態４の装置の動作説明図である。
【図１３】実施の形態４の装置の動作説明図である。
【図１４】実施の形態４の装置の動作説明図である。
【図１５】実施の形態４の装置の動作説明図である。
【図１６】実施の形態４の装置の動作説明図である。
【図１７】実施の形態４の装置の動作説明図である。
【図１８】実施の形態４の装置の動作説明図である。
【図１９】実施の形態４の装置の別の例のブロック図である。
【図２０】実施の形態５の装置のブロック図である。
【図２１】実施の形態５の装置の動作説明図である。
【図２２】実施の形態５の範囲指定部のブロック図である。
【図２３】実施の形態６の装置のブロック図である。
【図２４】実施の形態６の装置の動作説明図である。
【図２５】従来の装置のブロック図である。
【符号の説明】
【０１０８】
１ ＣＲＴ（画像出力部）、２ 増幅部、３ インダクタ、４ 制御部、５ビーム電流検出部（輝度検出部）、８ 範囲指定部、１０ 画面、２０ 増幅器、３１ 一次コイル、３２ 二次コイル、４０ 駆動制御部、４１ 電流調整部、７０ 解像度検出部、７１ 過渡特性検出部、７３ 操作部、８１，８４ 位置信号抽出部、８２，８５ 範囲決定部、８３，８６ 画質制御解読部、９０外部装置、Ｉ 電流、Ｊ ビーム電流、Pin, Pin(R,G,B), Pc 画像信号、Sync,Sync(H,V) 同期信号。
【図１】
2006174509.tif 000003
【図２】
2006174509.tif 000004
【図３】
2006174509.tif 000005
【図４】
2006174509.tif 000006
【図５】
2006174509.tif 000007
【図６】
2006174509.tif 000008
【図７】
2006174509.tif 000009
【図８】
2006174509.tif 000010
【図９】
2006174509.tif 000011
【図１０】
2006174509.tif 000012
【図１１】
2006174509.tif 000013
【図１２】
2006174509.tif 000014
【図１３】
2006174509.tif 000015
【図１４】
2006174509.tif 000016
【図１５】
2006174509.tif 000017
【図１６】
2006174509.tif 000018
【図１７】
2006174509.tif 000019
【図１８】
2006174509.tif 000020
【図１９】
2006174509.tif 000021
【図２０】
2006174509.tif 000022
【図２１】
2006174509.tif 000023
【図２２】
2006174509.tif 000024
【図２３】
2006174509.tif 000025
【図２４】
2006174509.tif 000026
【図２５】
2006174509.tif 000027